(57)【要約】  本発明は膝サポーター兼用かばんに関するもので、より詳しくは、使用者の必要によって膝を包んで保温を保持したり膝の損傷を防止することができ、かばんとしても使用可能な膝サポーター兼用かばんに関するものである。このような本発明は、内部に収容空間が形成されるように一側が開口されて使用者が膝を曲げた状態で膝を包む第１本体と、前記第１本体に対応するように形成されて使用者が膝を曲げた状態で膝を包む第２本体と、前記第１本体と前記第２本体の開口された部分を相互結合してかばんの形状を形成する締結手段と、を含み、前記第１本体にはロック装置によって開閉可能な切開部が形成され、前記第１本体の内部に切開部と連通されるように収納懐が形成されて、第１本体と第２本体との相互結合を解除した場合にもロック装置によって収納懐の中の物を保管可能であり、第１本体と第２本体それぞれの両端部には使用者の膝を包んだ後離脱防止のために固定する連結手段が形成され、第１本体及び第２本体それぞれの断面は三角形状をなし、第１本体及び第２本体が相互結合時には断面が四角形状をなすことを特徴とする膝サポーター兼用かばんを技術的要旨とする。
2019502840.tif 000002
【特許請求の範囲】
【請求項１】
内部に収容空間が形成されるように一側が開口されて使用者が膝を曲げた状態で膝を包む第１本体と、
前記第１本体に対応するように形成されて使用者が膝を曲げた状態で膝を包む第２本体と、
前記第１本体と前記第２本体の開口された部分を相互結合してかばんの形状を形成する締結手段と、を含み、
前記第１本体にはロック装置によって開閉可能な切開部が形成され、前記第１本体の内部に前記切開部と連通されるように収納懐が形成されて、前記第１本体と前記第２本体との相互結合を解除した場合にも前記ロック装置によって前記収納懐の中の物を保管可能であり、前記第１本体と前記第２本体それぞれの両端部には使用者の膝を包んだ後離脱防止のために固定する連結手段が形成され、
前記第１本体及び前記第２本体それぞれの断面は三角形状をなし、前記第１本体及び前記第２本体の相互結合時に断面が四角形状をなすことを特徴とする膝サポーター兼用かばん。
【請求項２】
前記締結手段は、
前記第１本体の外側周辺に沿って形成された第１ファスナー締結帯と、前記第１ファスナー締結帯に対応してスライダーによって締結されるように前記第２本体の外側周辺に沿って形成される第２ファスナー締結帯と構成されることを特徴とする請求項１に記載の膝サポーター兼用かばん。
【請求項３】
前記第１本体及び前記第２本体には熱線が内蔵されることを特徴とする請求項１に記載の膝サポーター兼用かばん。
【発明の詳細な説明】
【技術分野】
【０００１】
本発明は膝サポーター兼用かばんに関するもので、より詳しくは、膝を包んで保温を保持したり膝の損傷を防止することができるだけでなく、使用者の必要によってかばんとしても使用可能な膝サポーター兼用かばんに関するものである。
【背景技術】
【０００２】
最近、膝をたくさん使う労働者、運動選手、会社員、家庭主婦、机の前に長く座っている学生、退行性関節痛で苦労する年寄りなど大部分の人々にとって膝に対する疲れや膝冷えは非常によく見られる現象として受け入れられ、膝サポーターに対する関心が高まっている。
【０００３】
このように膝の疲れや膝が冷えることを緩和させ、保温を保持させるだけでなく新しい機能が搭載された膝サポーターの必要性が台頭していることにより、本技術分野ではこれを開発するための動きが活発に行われている。
【０００４】
例えば、「かばん兼用足袋（韓国公開番号：１０−２０１３−００６７９７４）」では足袋の一側面に縦方向に備えられる締結部と、足袋の上下両端部分の間に横方向にストリング（ｓｔｒｉｎｇ）が挿設されるストリング部と、足袋の上下両端部分の間に形成された取っ手部とで構成されたかばん兼用足袋が提示されている。
【０００５】
しかしながら、かばん兼用足袋は、構成が複雑で、生産性が良くないだけでなく、実用性が劣っていて、消費者の欲求を満たすことができないという短所があった。
【０００６】
それにより、かばんに対する消費者の多様な欲求を満たすだけでなく、膝を包んで保温を保持したり膝の損傷を防止することもできる新しい技術開発研究が切実に要求される時点である。
【先行技術文献】
【特許文献】
【０００７】
【特許文献１】韓国公開特許公報第１０−２０１３−００６７９７４号、２０１３．０６．２５．公開
【発明の概要】
【発明が解決しようとする課題】
【０００８】
本発明は前述した問題点を解消するために発明されたもので、膝を包んで保温を保持したり膝の損傷を防止することができるだけでなく、使用者の必要によってかばんとしても使用可能な膝サポーター兼用かばんを提供することにその目的がある。
【課題を解決するための手段】
【０００９】
前記目的を達するための本発明は、内部に収容空間が形成されるように一側が開口されて使用者が膝を曲げた状態で膝を包む第１本体と、前記第１本体に対応するように形成されて使用者が膝を曲げた状態で膝を包む第２本体と、前記第１本体と前記第２本体の開口された部分を相互結合してかばん形状を形成する締結手段とを含み、前記第１本体にはロック装置によって開閉可能な切開部が形成され、前記第１本体の内部に前記切開部と連通されるように収納懐が形成されて、前記第１本体と前記第２本体との相互結合を解除した場合にも前記ロック装置によって前記収納懐の中の物を保管可能であり、前記第１本体と前記第２本体それぞれの両端部には使用者の膝を包んだ後離脱防止のために固定する連結手段が形成され、前記第１本体及び前記第２本体それぞれの断面は三角形状をなし、前記第１本体及び前記第２本体が相互結合時に断面が四角形状をなすことを特徴とする膝サポーター兼用かばんを技術的要旨とする。
【００１０】
好ましくは、前記締結手段は、前記第１本体の外側周辺に沿って形成された第１ファスナー締結帯と、前記第１ファスナー締結帯に対応してスライダーによって締結が行われるように前記第２本体の外側周辺に沿って形成される第２ファスナー締結帯とで構成されることを特徴とする。
【００１１】
好ましくは、前記第１本体及び前記第２本体には熱線が内蔵されることを特徴とする。
【発明の効果】
【００１２】
前記課題の解決手段による本発明による膝サポーター兼用かばんは、第１本体と第２本体の収容空間に膝を包んで膝の疲れ及び膝冷え現象を防止するだけでなく膝を保護することができるという効果を奏する。
【００１３】
そして、第１本体と第２本体の開口された部分を相互締結してかばんの形状を形成することにより、かばんとしても活用可能な効果を奏する。
【図面の簡単な説明】
【００１４】
【図１】本発明の好ましい実施例による斜視図である。
【図２】本発明の好ましい実施例による分解斜視図である。
【図３】本発明の好ましい実施例による適用例示図である。
【発明を実施するための形態】
【００１５】
以下、本発明の好ましい実施例を添付した図面を参照して詳細に説明すれば次の通りである。
【００１６】
図１は本発明の好ましい実施例による斜視図であり、図２は本発明の好ましい実施例による分解斜視図である。図１及び図２に示すように、本発明の好ましい実施例による膝サポーター兼用かばんは第１本体１００、第２本体２００及び締結手段３００で構成されることができる。
【００１７】
本発明の第１本体１００は内部に収容空間が形成されるように一側が開口されて使用者の膝を包む構成であり、第２本体２００は第１本体１００に対応するように形成されて使用者の膝を包む構成である。
【００１８】
即第１本体１００と第２本体２００は形状を容易に変形可能な布、皮革などの柔軟な素材で製作されるもので、膝を包んで保温を保持したり膝の損傷を防止する作用を果たす。
【００１９】
ここで、第１本体１００の一側にはロック装置１２０によって開閉可能な切開部が切開形成されることができるが、第１本体１００の内部に切開部と連通されるように収納懐１１０が形成されることができる。
【００２０】
収納懐１１０は布材質で形成されて物を収納するもので、第１本体１００と第２本体２００の相互締結を解除した場合にもロック装置１２０によって収納懐１１０の中の物を安全に保管することができる。それにより、重要で秘密的な物も安全に保管可能である。
【００２１】
参考に、収納懐１１０と連通された切開部を開閉するロック装置１２０はファスナーで形成されることができ、本発明の図面ではファスナーの形態を示したが、必ずこれに限定されるのではなく、収納懐１１０の収納空間を開閉することができるロック装置１２０であればいずれのものを適用しても構わない。例えばベルクロ（登録商標）、ボタン、スナップボタン、磁石などであってもよい。
【００２２】
ただ本発明では収納懐１１０が第１本体１００に形成されたことで示したが、第２本体２００の切開部に連通されるように形成されることもでき、第１本体１００及び第２本体２００の両方に形成されることもできる。
【００２３】
図３は本発明の好ましい実施例による適用例示図である。図３を参照すれば、使用者の膝に第１本体１００と第２本体２００を包んだ後、連結手段４００で固定した状態であることを確認することができる。
【００２４】
第１本体１００及び第２本体２００は膝部分を包む形状を有するためにそれぞれの断面が三角形に形成されることが好ましく、締結手段３００を通じて第１本体１００と第２本体２００との相互結合時に断面が四角形状に形成されることが好ましい。
【００２５】
このように、第１本体１００及び第２本体２００それぞれの断面が三角形に形成されることによって、図３に示したように使用者がひざまずいたり椅子に座っている場合、膝が折られた状態で膝部分を自然に包んで覆うことができる。
【００２６】
第１本体１００と第２本体２００の内部の収容空間に膝を自然に包んだ後、第１本体１００と第２本体２００それぞれの両端部に形成された連結手段４００によって使用者の膝からの離脱を防止することができる。
【００２７】
ここで、連結手段４００は連結帯４１０、メスベルクロ４２０及びオスベルクロ４３０で形成されることができる。連結帯４１０は第１本体１００及び第２本体２００それぞれの一端部に固定されるが、連結帯４１０の端部にはメスベルクロ４２０が形成されることができる。そして、第１本体１００及び第２本体２００それぞれの他端部にはメスベルクロ４２０と付着されるオスベルクロ４３０が形成されることができる。
【００２８】
この時、メスベルクロ４２０とオスベルクロ４３０は互いに位置または方向を変えても構わなく、これに限定されるのではない。
【００２９】
追加的に、図３に示すように、第１本体１００及び第２本体２００それぞれには熱線６００が内蔵されることができる。即第１本体１００及び第２本体２００はそれぞれ外皮と内皮で構成されることができ、外皮と内皮との間に熱線が設置されることができることを意味する。
【００３０】
このような熱線６００は第１本体１００及び第２本体２００のそれぞれを膝に包んで覆って膝部分をより暖かくしてくれるための保温が目的で、外皮と内皮との間に熱源を提供して冬のような寒い季節に使用者の膝部分を暖かく保持させてくれることができる。
【００３１】
この時、熱線６００をｏｎ／ｏｆｆさせることができるスィッチ６１０が熱線６００と連結されて、第１本体１００及び第２本体２００それぞれの外部に設置されることによって、使用者の必要によって熱線６００をｏｎ／ｏｆｆすることができる。
【００３２】
即ち、熱線６００はスィッチ６１０によって選択的に作動されるもので、第１本体１００及び第２本体２００それぞれに備えられた充電用バッテリ（図示しない）によってスィッチ６１０の駆動を可能にする。
【００３３】
本発明の締結手段３００は第１本体１００と第２本体２００の開口された部分を相互結合してかばんの形状を形成する構成である。
【００３４】
即ち、締結手段３００は第１本体１００と第２本体２００とを相互締結してかばんの形状を成すための手段であって、第１本体１００の外側周辺に沿って形成された第１ファスナー締結帯３１０と、第１ファスナー締結帯３１０に対応し、ライダー３３０によって締結されるように第２本体２００の外側周辺に沿って形成される第２ファスナー締結帯３２０とで構成されることができる。
【００３５】
言わば、第１本体１００の開口された外側周辺に第１ファスナー締結帯３１０が形成され、第２本体２００の開口された外側周辺に第１ファスナー締結帯３１０と対応するようにスライダー３３０によって締結可能な第２ファスナー締結帯３２０が形成されることによって、使用者の必要によって第１本体１００と第２本体２００の内部に形成された収容空間を密閉してかばんとしても使用可能にする。
【００３６】
参考に、第１本体１００と第２本体２００には使用者が掛けたり持ち上げることができるように取っ手５００が連設されることができるので、かばんとしての活用性を極大化することができる。即ち、取っ手５００を通じて使用者が一方の肩に掛けたり対角線方向に斜めに掛けることができるようにして携帯が強化されることを意味する。
【００３７】
そして第１本体１００と第２本体２００には取っ手５００の両端部をかけることができる掛けリング５１０が形成されることができるが、掛けリング５１０は金属材質またはプラスチック材質で形成されることができ、掛けリング５１０に取っ手５００を連結して使うこともできる。
【００３８】
以上のように、本発明による膝サポーター兼用かばんは、第１本体１００と第２本体２００の収容空間に膝を包んで保温を保持したり保護することができる膝サポーターの機能を果たすことができるだけでなく、使用者の必要によって第１本体１００と第２本体２００とを相互締結して新しい概念のかばんとして脚光を浴びることができることと期待される。
【００３９】
以上の説明は本発明の技術思想を例示的に説明したことに過ぎず、本発明が属する技術分野で通常の知識を有する者であれば本発明の本質的な特性から逸脱しない範囲で多様な修正及び変形が可能である。従って本発明に開示された実施例は本発明の技術思想を限定するためではなく、説明するためのものであり、このような実施例によって本発明の技術思想の範囲が限定されるのでもない。本発明の保護範囲は特許請求範囲によって解釈されるべきであり、それと同等な範囲内にある全ての技術思想は本発明の権利範囲に含まれるものと解釈すべきである。
【符号の説明】
【００４０】
１００：第１本体
１１０：収納懐
１２０：ロック装置
２００：第２本体
３００：締結手段
３１０：第１ファスナー締結帯
３２０：第２ファスナー締結帯
３３０：スライダー
４００：連結手段
４１０：連結帯
４２０：メスベルクロ
４３０：オスベルクロ
５００：取っ手
５１０：掛リング
６００：熱線
６１０：スィッチ
【図１】
2019502840.tif 000003
【図２】
2019502840.tif 000004
【図３】
2019502840.tif 000005
【国際調査報告】
2019502840.tif 000006
2019502840.tif 000007
2019502840.tif 000008
2019502840.tif 000009